(57)【特許請求の範囲】
【請求項１】
間隔をおいて立設された支柱間に上下並行に複数取付けられた横ビーム間に注意喚起板が取付けられ、注意喚起板は、表面に注意喚起の表示が施された基板の裏面に、円形鋼管から形成された横ビームの外形に対応した内形の一部切欠円形体からなる取付部が一体化して形成され、該取付部が横ビームの外側に嵌め合わされて、横ビームに取付けられたことを特徴とする防護柵。
【請求項２】
前記横ビームが上段ビーム及び中断ビーム及び下段ビームを備え、前記取付部が前記中断ビームの外側に嵌め合わされて取り付けられると共に、前記基板の裏面が前記上段ビーム及び下段ビームの外側にそれぞれ当接されていることを特徴とする請求項１に記載の防護柵。
【発明の詳細な説明】
【技術分野】
【０００１】
本発明は、道路側縁等に設置された防護柵、特にＴ字状に道路が交差した箇所に設置された防護柵において、ドライバーに対して道路の進行方向等を表し注意喚起を図るための注意喚起板が取付けられた防護柵に関するものである。
【背景技術】
【０００２】
従来、防護柵に交通標識等を取付け、車両防護と共に安全標識の役目を果たすようにした、例えば特許文献１に記載されるような防護柵がある。
【０００３】
この防護柵は、複数の縦桟を上下一対の横桟間に連結して形成されるフェンス部と、フェンス部を支持する支柱部とからなる防護柵において、フェンス部の一部を切り欠いて開口部を設け、該開口部に標識パネル等のパネル部を着脱自在に取付けたものである。
【０００４】
【特許文献１】特開平０８−２８４１２５号公報
【発明の開示】
【発明が解決しようとする課題】
【０００５】
しかしながら、上述の如き防護柵においては、パネル部を取付けるために開口部をフェンス部に設ける必要があることから製作が面倒であり、そしてこの開口部を設けた定位置においてのみしか表示を施すことができず、又既設の防護柵をこのパネル部を設けた防護柵に変更するのは非常に困難であり、新設の防護柵に限定される、と言った問題がある。
【０００６】
そこで本発明は上記の如き問題点を解消し、製作が容易であり、任意の位置に表示を施すことができ、且つ既設の防護柵にも適用することができる防護柵を提供せんとするものである。
【課題を解決するための手段】
【０００７】
上記目的を達成するために、本発明は次のような構成としている。
すなわち、本発明に係る防護柵は、間隔をおいて立設された支柱間に上下並行に複数取付けられた横ビーム間に注意喚起板が取付けられ、注意喚起板は、表面に注意喚起の表示が施された基板の裏面に、円形鋼管から形成された横ビームの外形に対応した内形の一部切欠円形体からなる取付部が一体化して形成され、該取付部が横ビームの外側に嵌め合わされて、横ビームに取付けられたことを特徴とするものである。
また本発明に係る防護柵は、前記構成に加えて、前記横ビームが上段ビーム及び中断ビーム及び下段ビームを備え、前記取付部が前記中断ビームの外側に嵌め合わされて取り付けられると共に、前記基板の裏面が前記上段ビーム及び下段ビームの外側にそれぞれ当接されていることを特徴とするものである。
【発明の効果】
【０００８】
本発明によれば、基板の裏面に形成された取付部を横ビームの外側に嵌め合わせることにより、注意喚起板を取付けることができるので、注意喚起板の取付け、ないしは防護柵の製作が容易であり、又横ビームのどの位置においても注意喚起板を取付けることができ、さらにこの注意喚起板を用意しておけば、既設の防護柵であっても、この注意喚起板を取付けて本発明に係る防護柵にすることができる。
【０００９】
本発明において、注意喚起板を、隣接する上方の横ビームと下方の横ビームとの間に底壁が裏面側に突出する凹部を基板の表面に形成し、該凹部に注意喚起の表示を構成する再帰性反射体を収容するようにしてもよい。かように上方の横ビームと下方の横ビームとの間の空間部を利用して、そこに凹部を形成するようにすれば、注意喚起板の前面より前方側に再帰性反射体が突出することがないため、車両の接触による注意喚起板の破損を少なくすることができ、また防護柵の近傍を通行する歩行者や自転車の通行の妨げになることがない。
【発明を実施するための最良の形態】
【００１０】
本発明に係る実施の形態について、図面に基づき以下に具体的に説明する。
すなわち、図１は本発明に係る防護柵の実施の一形態を示す正面図、図２は図１の主要部の側面図、図３〜９は本発明に係る防護柵の実施の他の形態を示す側面図、図１０は本発明に係る防護柵の実施の更に他の形態を示す正面図、図１１は図１０の主要部の側面図、図１２は本発明に係る防護柵の実施の更に他の形態を示す正面図、図１３は図１２の主要部の側面図、図１４は本発明に係る防護柵の実施の更に他の形態を示す説明図である。
【００１１】
まず、図１及び図２に示した形態について説明する。
図面において、Ｓは道路等に設置される本発明に係る防護柵であって、間隔をおいて立設された支柱１間に横ビーム２が上下並行に間隔を開けて上段ビーム２ａ、中段ビーム２ｂ、下段ビーム２ｃの３段に取付けられ、上段ビーム２ａから下段ビーム２ｃにわたり注意喚起板３が２個左右に間隔を開けて取付けられている。
【００１２】
前記支柱１及び横ビーム２は、従来の防護柵に用いられているものと同様なものが用いられ、一般には表面を塗装や合成樹脂で被覆した円形鋼管から形成されているものであって、支柱１の側面に取付けられた支持金具１１を介して各横ビーム２ａ〜２ｃが取付けられているものである。
【００１３】
注意喚起板３は、基板４の表面に注意喚起の表示、すなわち本形態では対向してくる車両を左右方向に導くために、左側の注意喚起板３には左方向の矢印が施され、右側の注意喚起板３には右方向の矢印が施されている。又基板４の裏面には、この注意喚起板３を取付けるための取付部５が形成されている。尚、この形態では、基板４と取付部５とは別体で形成されている。
【００１４】
前記の注意喚起の表示は、基板４の表面の平坦部に貼着された反射シート６と、上段ビーム２ａと中段ビーム２ｂ、中段ビーム２ｂと下段ビーム２ｃの各々の間の空間部に底壁７１が裏面側に突出するようにして基板４の表面に形成された凹部７に収容された再帰性反射体８とから構成され、反射シート６と再帰性反射体８とにより所定の表示となされている。
【００１５】
再帰性反射体８は、接着剤により基板４の表面に形成された凹部７の底壁７１に接着されて収容させてもよいし、再帰性反射体８の裏面に円柱状の凸部を設け、底壁７１に設けた前記凸部の外形に対応する貫通孔に凸部を貫通させ、内側に係止部を有する扁平リング状の係止具を凸部外側面に嵌着することにより、再帰性反射体８を基板４の凹部７に係止させて収容してもよい。
【００１６】
再帰性反射体８としては、入射された光を高い効率で再帰反射できるレンズ反射体が好適に用いられるが、特に限定されたものではなく、多数の反射素子群を形成し、その反射素子群の裏面にアルミニウムのような金属の薄膜を金属蒸着法等により積層して反射性能を高めたプリズム状のものや、ガラスビーズやプリズム反射体を表面に配置した反射シート、合成樹脂製のシートにガラスビーズを埋設したもの等を適宜用いることができる。
【００１７】
注意喚起板３の取付部５は、横ビーム２の外形に対応した内形のＵ字状体の両側縁から上下方向に係止片５１が延設されたものである。そしてこの取付部５により、注意喚起板３が横ビーム２に取付けられる。具体的には、Ｕ字状体からなる取付部５を先ず中段ビーム２ｂの外側に背面側から嵌め合わせ、次いで基板４の裏面を前記取付部５に対向させると共に、取付部５の上下の係止片５１を、基板４の裏面に形成された差込溝４１に差し込むことにより、基板４と取付部５とが一体化され、且つそれにより、注意喚起板３が横ビーム２に取付けられる。４２は基板の裏面に形成された突起であって、上段ビーム２ａ及び下段ビーム２ｃに当接し、これら上段ビーム２ａ及び下段ビーム２ｃと基板４の裏面との間の隙間によって生じるガタツキを無くしている。
【００１８】
尚、上記形態では取付部５を１個として、中段ビーム２ｂに嵌め合わせるようになされているが、取付部５を２個として、上段ビーム２ａ及び下段ビーム２ｃに嵌め合わせるようにしてもよい。図３はこの形態を示すものであって、Ｕ字状体からなる取付部５を上段ビーム２ａと下段ビーム２ｃとに嵌め合わせて、これらの取付部５により、注意喚起板３が横ビーム２に取付けられており、その他の点については、図１〜２の形態とほぼ同様である。
【００１９】
又、この形態において、取付部５の数を１個増やし、上段ビーム２ａと中段ビーム２ｂと下段ビーム２ｃの３箇所に取付部５を嵌め合わせて、注意喚起板３を取付けるようにしてもよい。更に、取付部５は各横ビーム２ａ〜２ｃに対して１個づつ形成されていてもよいし、注意喚起板３の左右端部にそれぞれ形成し、各横ビーム２ａ〜２ｃに対して２個づつ嵌め合わせるようにしてもよく、取付部５の数及びその形成位置は、注意喚起板３の大きさや重量等によって適宜決定すればよい。
【００２０】
以下図４〜１５により、上記形態と異なる本発明に係る形態について説明するが、特に図１〜２の形態と異なる点を説明し、他の点については図１〜２の形態とほぼ同様であるのでその説明は省略する。
【００２１】
図４に示された形態は、注意喚起板３は、図１〜２の形態と同様に基板４と取付部５とが別体で形成されているものであって、取付部５は、横ビーム２の外形に対応した内形の一部切欠円形体から形成され、そして正面側からこの一部切欠円形体の切欠部５２を中段ビーム２ｂに押し当てて、取付部５を中段ビーム２ｂに嵌め合わせると共に、取付部５の正面側に形成した係止片５１を基板４の裏面に形成された差込溝４１に差し込むことにより、基板４と取付部５とが一体化され、それにより注意喚起板３が横ビーム２に取付けられるようになされている。又、上段ビーム２ａと中段ビーム２ｂ、中段ビーム２ｂと下段ビーム２ｃの各々の間の空間部に底壁７１が裏面側に突出するようにして基板４の表面に形成された凹部７に再帰性反射体８が収容され、又突起４２が形成されているのは図１〜２の形態と同様である。
【００２２】
図５の形態は、上記図４の形態において、取付部５を２個として、上段ビーム２ａ及び下段ビーム２ｃに嵌め合わせるようにしたものである。
【００２３】
図６の形態は、注意喚起板３の基板４と取付部５とが一体化して形成されているものであって、基板４の裏面中央部に、横ビーム２の外形に対応した内形の一部切欠円形体からなる取付部５が形成されており、そして正面側からこの一部切欠円形体の切欠部５２を中段ビーム２ｂに押し当てて、取付部５を中段ビーム２ｂに嵌め合わせることにより、注意喚起板３が横ビーム２に取付けられるようになされている。又、上段ビーム２ａと中段ビーム２ｂ、中段ビーム２ｂと下段ビーム２ｃの各々の間の空間部に底壁７１が裏面側に突出するようにして基板４の表面に形成された凹部７に再帰性反射体６が収容されているのは図１〜２の形態と同様である。
【００２４】
図７の形態は、上記図６の形態において、取付部５が上中下の３箇所に形成され、上段ビーム２ａ、中段ビーム２ｂ及び下段ビーム２ｃに嵌め合わせるようになされたものである。
【００２５】
図８の形態は、注意喚起板３の基板４と取付部５とが一体化して形成されているものであって、基板４の上端及び下端に、下方の一部が切り欠かれた、横ビーム２の外形に対応した内形の一部切欠円形体からなる取付部５が形成されており、そして上方から切欠部５２を上段ビーム２ａ及び下段ビーム２ｃにそれぞれ押し当てて、取付部５をこれら上段ビーム２ａ及び下段ビーム２ｃに嵌め合わせることにより、注意喚起板３が横ビーム２に取付けられるようになされている。又、上段ビーム２ａと中段ビーム２ｂ、中段ビーム２ｂと下段ビーム２ｃの各々の間の空間部に底壁７１が裏面側に突出するようにして基板４の表面に形成された凹部７に再帰性反射体８が収容されているのは図１〜２の形態と同様である。
【００２６】
図９の形態は、注意喚起板３の基板４と取付部５とが一体化して形成されているものであって、基板４の上端には、下方の一部が切り欠かれた、横ビーム２の外形に対応した内形の一部切欠円形体からなる取付部５が形成され、又基板４の下端には、上方の一部が切り欠かれた、横ビーム２の外形に対応した内形の一部切欠円形体からなる取付部５が形成されており、そして先ず上方の取付部５を上段ビーム２ａに嵌め合わせ、次いでこの上方の取付部５を中心にして基板４を回動し、下方の取付部５を下段ビーム２ｃに嵌め合わせることにより、注意喚起板３が横ビーム２に取付けられるようになされている。又、上段ビーム２ａと中段ビーム２ｂ、中段ビーム２ｂと下段ビーム２ｃの各々の間の空間部に底壁７１が裏面側に突出するようにして基板４の表面に形成された凹部７に再帰性反射体８が収容されているのは図１〜２の形態と同様である。
【００２７】
図１０〜１１の形態は、注意喚起板３の基板４と取付部５とが一体化して形成されているものであって、基板４の上端には、下方の一部が切り欠かれた、横ビーム２の外形に対応した内形の一部切欠円形体からなる取付部５が形成され、又基板４の下端には、正面側の一部が切り欠かれた、横ビーム２の外形に対応した内形の一部切欠円形体からなる取付部５が形成されており、そして上方の取付部５を上段ビーム２ａに嵌め合わせ、又下方の取付部５を下段ビーム２ｃに嵌め合わせることにより、注意喚起板３が横ビーム２に取付けられるようになされている。又、上段ビーム２ａと中段ビーム２ｂ、中段ビーム２ｂと下段ビーム２ｃの各々の間の空間部に底壁７１が裏面側に突出するようにして基板４の表面に形成された凹部７に再帰性反射体８が収容されている。
【００２８】
図１２〜１３の形態は、注意喚起板３の基板４と取付部５とが一体化して形成されているものであって、基板４の上端と下端には、正面側の一部が切り欠かれた、横ビーム２の外形に対応した内形の一部切欠円形体からなる取付部５が形成され、上方の取付部５を上段ビーム２ａに嵌め合わせ、又下方の取付部５を下段ビーム２ｃに嵌め合わせることにより、注意喚起板３が横ビーム２に取付けられるようになされている。尚、取付けに際しては、基板４を山形に湾曲させて、上方の取付部５を下方から上段ビーム２ａに嵌め合わせ、又下方の取付部５は上方から下段ビーム２ｃに嵌め合わせるようにすればよい。又、上段ビーム２ａと中段ビーム２ｂ、中段ビーム２ｂと下段ビーム２ｃの各々の間の空間部に底壁７１が裏面側に突出するようにして基板４の表面に形成された凹部７に再帰性反射体８が収容されている。
【００２９】
図１４の形態は、注意喚起板３の基板４と取付部５とが一体化して形成されているものであって、基板４の上端と下端には、正面側の一部が切り欠かれた、横ビーム２の外形に対応した内形の一部切欠円形体からなる取付部５が形成され、又基板４は背面側に開口する箱型となされ、左右側壁４３の一部が中段ビーム２ｂの外形に沿って切り欠かれている。そして上方の取付部５を上段ビーム２ａに嵌め合わせ、又下方の取付部５を下段ビーム２ｃに嵌め合わせ、さらに左右側壁４３の切欠部を中段ビーム２ｂに嵌め合わせることにより、注意喚起板３が横ビーム２に取付けられるようになされている。又、上段ビーム２ａと中段ビーム２ｂ、中段ビーム２ｂと下段ビーム２ｃの各々の間の空間部に底壁が裏面側に突出するようにして基板４の表面に形成された凹部７に再帰性反射体８が収容されている。
【産業上の利用可能性】
【００３０】
本発明に係る防護柵は、注意喚起板が取付けられているため、従来の防護柵自体の機能に加えて注意喚起が行えると共に、製作が容易であり、任意の位置に表示を施すことができ、且つ既設の防護柵にも適用することができるので、特にＴ字状に道路が交差した箇所に設置されて、ドライバーに対して道路の進行方向等を表し注意喚起を行う防護柵として、好適に利用することができる。
【図面の簡単な説明】
【００３１】
【図１】本発明に係る防護柵の実施の一形態を示す正面図である。
【図２】図１の主要部の側面図である。
【図３】本発明に係る防護柵の実施の他の形態を示す側面図である。
【図４】本発明に係る防護柵の実施の他の形態を示す側面図である。
【図５】本発明に係る防護柵の実施の他の形態を示す側面図である。
【図６】本発明に係る防護柵の実施の他の形態を示す側面図である。
【図７】本発明に係る防護柵の実施の他の形態を示す側面図である。
【図８】本発明に係る防護柵の実施の他の形態を示す側面図である。
【図９】本発明に係る防護柵の実施の他の形態を示す側面図である。
【図１０】本発明に係る防護柵の実施の更に他の形態を示す正面図である。
【図１１】図１０の主要部の側面図である。
【図１２】本発明に係る防護柵の実施の更に他の形態を示す正面図である。
【図１３】図１２の主要部の側面図である。
【図１４】本発明に係る防護柵の実施の更に他の形態を示す説明図である。
【符号の説明】
【００３２】
Ｓ      防護柵
１      支柱
１１    支持金具
２      横ビーム
２ａ    上段ビーム
２ｂ    中段ビーム
２ｃ    下段ビーム
３      注意喚起板
４      基板
４１    差込溝
４２    突起
４３    側壁
５      取付部
５１    係止片
５２    切欠部
６      反射シート
７      凹部
７１    底壁
８      再帰性反射体
【図１】
0004448803.tif 000002
【図２】
0004448803.tif 000003
【図３】
0004448803.tif 000004
【図４】
0004448803.tif 000005
【図５】
0004448803.tif 000006
【図６】
0004448803.tif 000007
【図７】
0004448803.tif 000008
【図８】
0004448803.tif 000009
【図９】
0004448803.tif 000010
【図１０】
0004448803.tif 000011
【図１１】
0004448803.tif 000012
【図１２】
0004448803.tif 000013
【図１３】
0004448803.tif 000014
【図１４】
0004448803.tif 000015